(57)【特許請求の範囲】
【請求項１】
上面側に給排水口を有する平面視略小判型の湯たんぽであって、
上面が平らであるとともに、前記給排水口が前記上面における前記平面視略小判型の長手方向の端部に備えられ、
前記給排水口が下に向く湯たんぽ本体の反転状態において、前記給排水口が備えられた前記端部が下がる傾斜姿勢に保つ凸部が、
前記上面において、前記湯たんぽ本体の重心位置より前記長手方向における前記給排水口と反対側に備えられた
湯たんぽ。
【請求項２】
前記凸部が着脱可能である
請求項１に記載の湯たんぽ。
【請求項３】
前記上面側の内面に、前記排水姿勢にしたときに水を前記給排水口に導く導水路が形成された
請求項１又は請求項２に記載の湯たんぽ。
【請求項４】
前記導水路が、当該湯たんぽの表面に形成される凹凸で構成された
請求項３に記載の湯たんぽ。
【発明の詳細な説明】
【技術分野】
【０００１】
この発明は、湯や冷水、氷など（以下、明細書全体を通して単に「湯」という。）を入れて使用する湯たんぽに関し、より詳しくは、排水が容易に行えるような湯たんぽに関する。
【背景技術】
【０００２】
湯たんぽの使用後は、内部の湯を毎回排出する。排出された湯は、必要に応じて洗顔や洗濯などに有効利用される。
【０００３】
このような湯たんぽには、小さいものから大きいものまで様々あるが、一般的に用いられるものは、容量が１．６リットルから３．５リットル程度である。特に、樹脂製の湯たんぽでは変形を防止するために使用に際して湯を満タンにしなければならない。
【０００４】
このため、湯たんぽは決して軽くはなく、両手で持っての排水が不可欠となる。しかも、排出される湯の乱流によって腕には負荷がかかり、湯量が多いと排水に時間もかかる。
【０００５】
このような不都合があるため、例えば下記特許文献１に開示されているように、立てて排水できる湯たんぽが案出されている。
【先行技術文献】
【特許文献】
【０００６】
【特許文献１】登録実用新案第３１４７０４３号公報
【発明の概要】
【発明が解決しようとする課題】
【０００７】
特許文献１に開示された湯たんぽは、立てた姿勢で置ける湯たんぽの下部側面に給排水口を設けた構造である。この構造によって、排水は、湯たんぽを立ててから給排水口のキャップを外せば自動的に行える。
【０００８】
しかし、給排水口は横を向いている。このため、広い流し台に排水するような場合はよいが、例えば洗面器や洗濯機などに排水する場合には、湯たんぽを立てて置くことができないので、結局のところ湯たんぽを手で持たなければならない。
【０００９】
したがって、特に老人や女性が多い湯たんぽ利用者にとって、必ずしも排水作業が軽減されるわけではなかった。前述のように洗面器や洗濯機に対する排水が面倒であるので、湯の有効利用が行われにくいという側面もあった。
【００１０】
また、給排水口が下部の側面にあるため、立てて置いただけでは湯が完全に排出されない。完全に排出することは、内部を清潔に保つために、特に金属製の湯たんぽの場合には耐蝕性を確保するために、大事である。にもかかわらず、立てて排水した後の残量が比較的多いので、傾けたり、振ったりして排水する作業が不可欠であった。それでも水切れはよくなく、残留水分により腐食してしまうこともあり、より簡単で完全な排水を可能にした水切れのよい湯たんぽが求められていた。また前述のように湯たんぽを傾けたり振ったりすると、湯が飛び散って周囲を濡らすことになり、周囲の掃除を強いることになるなど、湯たんぽの排水は意外と煩雑な作業となっていた。
【００１１】
そこで、この発明は、より排水が容易に行えるようにすることを主な目的とする。
【課題を解決するための手段】
【００１２】
そのための手段は、上面側に給排水口を有する平面視略小判型の湯たんぽであって、上面が平らであるとともに、前記給排水口が前記上面における前記平面視略小判型の長手方向の端部に備えられ、前記給排水口が下に向く湯たんぽ本体の反転状態において、前記給排水口が備えられた前記端部が下がる傾斜姿勢に保つ凸部が、前記上面において、前記湯たんぽ本体の重心位置より前記長手方向における前記給排水口と反対側に備えられた湯たんぽである。
【００１３】
排水を行うときには、前記上面において、前記湯たんぽ本体の重心位置より前記長手方向における前記給排水口と反対側に備えられた凸部が、前記給排水口が備えられた前記端部が下がる傾斜姿勢に湯たんぽを保つので、排水時の荷重や振動による負担を軽減する。このため、単に置いたり、軽く手を添えたりしておけば排水ができる。そのうえ、前記上面が平らであるとともに、前記給排水口が前記上面の長手方向の端部に備えられているので、傾斜姿勢に保つ凸部は湯たんぽ内に残留する湯量を少なくする。
【発明の効果】
【００１４】
以上のように、この発明によれば、凸部が排水時の荷重や振動による負担を軽減するので、排水作業が容易になる。しかも、凸部は湯たんぽを自立させるものではないので、広い流し台のような場所でなくても排水を容易にすることができる。そして、傾斜姿勢により残留する湯量が少なくなるので、完全な排水をすることが容易で、周囲を濡らしたりするような不都合も回避できる。
【図面の簡単な説明】
【００１５】
【図１】湯たんぽの基本構造を示す平面図と一部断面側面図。
【図２】湯たんぽの平面図と作用状態の断面図。
【図３】図２の湯たんぽを積み重ねた状態の一部断面側面図。
【図４】湯たんぽの側面図と作用状態の断面図。
【図５】作用状態を示す湯たんぽの断面図。
【図６】傾斜補助手段の平面図と、作用状態を示す湯たんぽの断面図。
【図７】パッキンの側面図と、湯たんぽの平面図と、作用状態を示す湯たんぽの断面図。
【図８】湯たんぽの平面図とその断面図。
【図９】湯たんぽの一部拡大側面図と、作用状態を示す側面図。
【図１０】傾斜補助手段の側面図と、これを取付けた湯たんぽの断面図。
【図１１】図１０に示した湯たんぽの作用状態の断面図。
【図１２】湯たんぽの平面図と、作用状態を示す断面図。
【図１３】湯たんぽの構造を示す平面図と側面図と横断面図。
【図１４】湯たんぽの構造を示す側面図と横断面図。
【図１５】湯たんぽの構造を示す平面図と側面図と横断面図。
【図１６】湯たんぽの側面図と、作用状態を示す断面図。
【発明を実施するための形態】
【００１６】
この発明を実施するための一形態を、以下図面を用いて説明する。  
図１（ａ）は湯たんぽ１１の基本構造を示す平面図、図１（ｂ）はその一部断面側面図であり、図１に示すような構造の湯たんぽ１１は、図２〜図１２に示したような排水補助手段５１を備えることで、使用後の排水が容易に行えるように構成されている。
【００１７】
まず、図１を用いて湯たんぽ１１の基本構造を説明した後、前記排水補助手段５１について説明する。
【００１８】
図１に例示した湯たんぽ１１の本体１２は金属製で、平面視略小判型をなし、下面と上面が平らな全体として偏平な形状である。上下両面が平らであるので、湯たんぽ同士の積み重ねが可能である。このような形状の本体１２は、上側部材２１と下側部材３１の外周縁２２，３２をカシメにより一体化して構成され、内部に湯を入れる貯留空間１３が設けられている。
【００１９】
前記上側部材２１と下側部材３１の表面のうち平らな部分には、直線状の凹凸２３，３３が形成され、補強と暖房（又は冷却）面積の拡大が図られている。図１の湯たんぽ１１では、上側部材２１の凹凸２３は本体１２の長手方向に延びるように複数条形成される一方、下側部材３１の凹凸３３は、本体１２の長手方向と直交する方向に延びるように複数条形成されている。
【００２０】
また上側部材２１における長手方向の端部には円形の開口部２４が形成され、この開口部２４に口金部材２５がカシメによって固定されて、給排水口１４が形成される。口金部材２５は、下端に固定鍔部２５ａを有する円筒状をなし、固定鍔部２５ａより上の外周面に雄ねじ２５ｂが形成されている。前記固定鍔部２５ａが、前記開口部２４に固定され、前記雄ねじ２５ｂを有する部分が上側部材２１の表面より上方に突出する。
【００２１】
前記雄ねじ２５ｂには、前記貯留空間１３に貯留した湯の漏れを防止するキャップ４１が固定される。キャップ４１は、厚みの厚い円板状をなし、下面には円筒状の円筒状部４２を突出させている。この円筒状部４２の内側に、前記口金部材２５に嵌めるための凹所４３が形成され、この凹所４３の内面に前記雄ねじ２５ｂに螺合する雌ねじ４３ａが形成されている。
【００２２】
前記円筒状部４２の外周には、パッキン４４が装着され、完全な止水が行えるように構成されている。パッキン４４の厚みは、前記円筒状部４２の高さと同等か、それ以上に設定されるとよい。
【００２３】
なお、湯たんぽ１１は、金属製でなくともよく、樹脂製や陶製であってもよく、上側部材２１や下側部材３１の形状や、凹凸２３，３３の形状、給排水口１４の位置などの細部の態様についても前述の構成に限定されるものではない。例えば、上側部材２１と下側部材３１の凹凸２３，３３を、双方とも長手方向に長く形成してもよい。
【００２４】
前記排水補助手段５１は、上面側に形成された前記給排水口１４を下に向けるべく本体を反転するとともに、前記給排水口１４の高さを低くする排水姿勢に保つためのもので、接地した、又は手に持った湯たんぽ１１を、前記排水姿勢に保つ、又はそれを助ける。前記給排水口１４は本体１２の長手方向の端部に形成されているので、前記排水姿勢では、給排水口１４を有する端部が下がるように傾斜した姿勢となる。
【００２５】
前記排水補助手段５１は、例えば前記排水姿勢で接地する支持部や、前記排水姿勢になるように重心を移動させる重錘、本体に対して着脱可能に取付けられて前記排水姿勢になるように提げる提げ手、又はこれらの組み合わせで構成できる。排水補助手段５１を支持部で構成する場合には、支持部の形成位置は、確実に前記排水姿勢にするため、本体１２の重心位置よりも前記給排水口１４の反対側に偏った位置に設定される。
【００２６】
以下、図２〜図１２を用いて、排水補助手段５１について順に説明する。
【００２７】
図２に示した湯たんぽ１１は、前記支持部からなる排水補助手段５１を有する例である。すなわち、排水補助手段５１は上面側に設けられた凸部５２で構成されており、本体１２を構成する上側部材２１の上面に、膨出形成によって上に向けて突出する前記凸部５２を一体に有する。
【００２８】
この凸部５２は、上側部材２１の長手方向における前記給排水口１４の反対側に形成され、凸部５２の上端部は半球状である。また、本体１２の長手方向と直交する方向に間隔をあけて２個配設され、バランスよく接地して本体１２が安定するように構成されている。なお、前記給排水口１４が本体１２の一端部に形成された湯たんぽ１１では、凸部５２の形成位置は、確実に前記排水姿勢にするため、本体１２の重心位置よりも前記給排水口１４の反対側に偏った位置に設定される。
【００２９】
また、前記凸部５２を形成した関係上、図３に示した如く湯たんぽ１１同士を積み重ねできるように、本体１２を構成する下側部材３１における前記凸部５２に対応する部位に、凸部５２の嵌まり込みを許容する嵌合凹部３４が形成されている。
【００３０】
このような構成の湯たんぽ１１では、排水に際しては、キャップ４１を外して、またはキャップ４１をつけたままの状態で本体１２を反転させて排水姿勢にする。このとき、流し台などの湯を排出する部分の縁に上側部材２１の表面を当てて排水補助手段５１としての凸部５２を接地させる。すると、本体１２は排水姿勢で安定するので、キャップ４１を外した場合にはそのままで、キャップ４１をつけたままである場合にはキャップ４１を外せば、貯留空間１３内の湯は排出される。このとき、本体１２に軽く手を添える程度の力で保持すればよく、容易に排水がなされる。
【００３１】
上側部材２１に形成された凹凸２３は本体１２の長手方向に長いので、排出される湯は凹凸２３に沿って給排水口１４方向に導かれ、排水は円滑になされる。また、給排水口１４の高さは低いので、残留する湯量も少なくできる。
【００３２】
図４に示した湯たんぽ１１も、前記支持部からなる排水補助手段５１を有する例である。この場合の支持部は、上面側に設けられた凹部５３からなる。凹部５３は、本体１２を構成する上側部材２１の上面の一部を、長手方向と直行する方向に長い形状に陥没して構成されている。凹部５３の断面形状は、直角三角形の直角をなす２辺を有する形状に形成され、排水姿勢で流し台等の縁に接地できるように構成されている。
【００３３】
このような構成の湯たんぽ１１では、排水に際しては、キャップ４１を外して、またはキャップ４１をつけたままの状態で本体１２を反転させて排水姿勢にする。このとき、湯を排出する部分の縁に上側部材２１の凹部５３を当てて接地させる。すると、本体１２は排水姿勢で安定するので、キャップ４１を外した場合にはそのままで、キャップ４１をつけたままである場合にはキャップ４１を外せば、貯留空間１３内の湯は排出される。このとき、本体１２に軽く手を添える程度の力で保持すればよく、容易に排水がなされる。
【００３４】
この場合も、前述と同様に、上側部材２１に形成された凹凸２３は本体１２の長手方向に長いので、排出される湯は凹凸２３に沿って給排水口１４に導かれ、排水は円滑になされる。また、給排水口１４の高さは低いので、残留する湯量も少なくできる。以下の例においても同様であるので、繰り返しての説明は省略する。
【００３５】
図５に示した湯たんぽ１１は、図２の湯たんぽ１１のように凸部５２からなる排水補助手段５１を備えた例であるが、この場合には、排水補助手段５１である凸部５２を本体１２に対して着脱可能な別部材で構成した例である。
【００３６】
図５（ａ）の排水補助手段５１は、凸部５２となる凸部材５４を磁石５４ａにより着脱可能にした構成である。すなわち、適宜形状に形成された凸部材５４の下面に磁石５４ａが埋設され、排水時に凸部材５４を固定できるように構成されている。凸部材５４は、接地時のバランスを考慮して、複数個備えられる。前記磁石５４ａに代えて吸盤等を用いることもできる。
【００３７】
図５（ｂ）の排水補助手段５１は、凸部５２となる凸部材５４を嵌合により着脱可能にした構成である。すなわち、本体１２を構成する上側部材２１の表面に、プレス成形により上側部材２１の一部を上方に突出させ、円筒状の嵌合凹部２６が形成されている。この嵌合凹部２６は、接地時のバランスを考慮して、本体１２の長手方向と直交する方向に複数個形成される。この嵌合凹部２６に前記凸部材５４の下部を嵌合すると、排水補助手段５１が形成されることになる。
【００３８】
図５（ｃ）の排水補助手段５１は、凸部となる凸部材５４に、前記キャップ４１を利用するようにした構成である。すなわち、本体１２を構成する上側部材２１の表面に、プレス成形により上側部材２１の一部を上方に突出させ、キャップ４１の一部、すなわち図１に示した構造のキャップ４１の場合には下面に形成された凹所４３を嵌合する嵌合凸部２７が形成されている。この嵌合凸部２７は、本体１２の長手方向と直交する方向の中間位置に一個形成されればよい。嵌合凸部２７に前記キャップ４１を嵌合すると、排水補助手段５１が形成されることになる。
【００３９】
図５（ｂ）の嵌合凹部２６も図５（ｃ）の嵌合凸部２７も、給排水口１４にキャップ４１を取付けた時のキャップ４１の上面と同等程度の高さに設定しておけば、湯たんぽ１１を積み重ねるときに邪魔にならない。
【００４０】
また、図５（ｃ）のように、キャップ４１を利用することによって、部材点数の低減ができる上に、キャップ４１が不要な時、すなわち湯を注入するときや本体１２を乾燥させるときにキャップ４１を嵌合凸部２７に嵌めておけばキャップ４１の紛失防止を図ることができる。
【００４１】
図６も、図５の湯たんぽ１１のように着脱可能な凸部（凸部材）からなる排水補助手段５１を備えた例であるが、この排水補助手段５１は、合成樹脂やゴムのような部材を用いて板状に構成されており、給排水口１４を利用して取付けられるようにした凸部材５４からなる。
【００４２】
すなわち、凸部材５４は、図６（ａ）に示したように平面視短冊状をなし、一端部に、前記給排水口１４の外周に嵌める嵌合穴５４ｂを有し、他端部に、図６（ｂ）に示したように断面三角形状に突出する隆起部５４ｃを有する。この隆起部５４ｃの先端が接地して、本体１２を傾斜した排水姿勢にする。隆起部５４ｃと前記嵌合穴５４ｂとの間の位置には、前記隆起部５４ｃよりも細かい凹凸で幅方向に延びる凹凸条５４ｄが複数形成されている。この凹凸条５４ｄは、流し台の縁などに引っ掛かりやすくするためのものである。
【００４３】
このような凸部材５４を備えた湯たんぽ１１では、排水に際して、凸部材５４を給排水口１４に取り付けてから、本体１２を排水姿勢にして、前記隆起部５４ｃと凹凸条５４ｄを接地させると、排水姿勢に保つことが助けられ、排水姿勢で安定させることができる。
【００４４】
前記凸部材５４は、給排水口１４に嵌める嵌合穴５４ｂを有する短冊状であるため、給排水口１４に取付けた状態のままで湯たんぽ１１として使用することもできる。この場合には、凸部材５４にパッキン４４の機能を兼ねさせることができる。
【００４５】
図７に示した湯たんぽ１１も、着脱可能な凸部材５４からなる排水補助手段５１を備えた例である。この排水補助手段５１は、キャップ４１に取付けられる前記パッキン４４を、パッキンとしての機能のほかに、前記凸部材５４を構成するための部材や、キャップ４１や湯たんぽ１１を吊り下げるための部材としての機能も有するように構成したものである。
【００４６】
すなわち、前記凸部材５４は、キャップ４１と、このキャップ４１に取付けられるパッキン４４で構成される。
【００４７】
キャップ４１の構造は前述の通りであるが、パッキン４４は前述とは異なる構成である。すなわち、図７（ａ）、図７（ｂ）に示したように適宜の平面視形状をなす板状に形成され、給排水口１４に嵌める嵌合穴４４ａを一端部に有し、他端部には、厚み方向に貫通する吊り下げ穴４４ｂが形成されている。また、下面における前記吊り下げ穴４４ｂを長手方向に挟む位置には、本体１２の上側部材２１に形成された凹凸２３の凹み２３ａに嵌合可能な突部４４ｃ，４４ｄが形成されている。突部４４ｃ，４４ｄのうち、端部側の突部４４ｄを長手方向の中間側の突部４４ｃよりも低く形成し、図７（ｃ）に示したように、本体１２の下に挟み込んで本体１２を排水姿勢に支持できるようにしている。前記パッキン４４の嵌合穴４４ａ近傍の厚さは、その下面がキャップ４１の下面よりも下に位置するように設定されている。
【００４８】
このような構成の湯たんぽ１１では、排水に際してキャップ４１を外し、パッキン４４の他端部を折り返してキャップ４１の上面にのせてから、排水姿勢にした本体１２の下に敷く。パッキン４４の下面は、キャップ４１の下面よりも下に位置するので、接地したときにすべり止め作用が期待でき、同様に、本体１２に対してもすべり止めができて、排水姿勢に安定的に支持できる。
【００４９】
図８に示した湯たんぽ１１は、前記重錘からなる排水補助手段５１を有する例である。すなわち、排水補助手段５１は、貯留空間５３の湯が冷めて圧力の変化で本体１２が変形しないように補強する支柱部材１５の一部に重錘部５５を備えている。
【００５０】
支柱部材１５は、金属板をプレス成形したもので、図８（ａ）に破線で示したように全体として平面視略Ｚ字状に折曲形成されている。上下両縁には、図８（ｂ）に示したように、上側部材２１と下側部材３１の凹凸２３，３３の形に合わせて凹凸縁１５ａが形成され、さらに湯を通すための切欠１５ｂを備えており、給排水口１４に近い部分が、複数層に折り返されて、その他の部位よりも重い前記重錘部５１とされている。
【００５１】
このような構成の湯たんぽ１１では、排水に際してキャップ４１を外し、またはキャップ４１を付けた状態のまま、本体１２の一部を流し台の縁などに当てて排水姿勢にすると、前記重錘部５５の重さによって本体の重心が給排水口１４側に移動し、給排水口１４の高さが低い排水姿勢に安定し易くなる。
【００５２】
前記重錘部５５は、支柱部材１５から分離して別部材としたものであってもよく、また支柱部材１５なしで重錘のみを内蔵したものであってもよい。
【００５３】
図９に示した湯たんぽ１１も、前記重錘からなる排水補助手段５１を有する例であるが、この場合には、重錘として別の部材であるキャップ４１を用いている。
【００５４】
すなわち、図９（ａ）に示したように本体１２の上側部材２１における給排水口１４よりも端部側に、キャップ４１に備えられた吊り下げ環４５を係止可能にする係止部２８を備えている。キャップ４１は、例えば真鍮を削り出して形成されるものであるため、重錘としての重量を確保できる。
【００５５】
このような構成の湯たんぽ１１では、排水に際してキャップ４１を外し、図９（ｂ）に示したように、キャップ４１の吊り下げ環４５を係止部２８に係止する。この状態で、本体１２の一部を流し台の縁などに当てて排水姿勢にすると、前記重錘たるキャップ４１の重さによって、給排水口１４の高さが低い排水姿勢を安定し易くなる。
【００５６】
図１０（ａ）は、前記重錘となる重錘部材５６で、例えばゴム塊で構成される。この重錘部材５６は、短い円柱の外周面から中心にかけて切り込み部５６ａを有する断面略開ループ状で、前記切り込み部５６ａを開閉する弾性変形が可能な構造である。そして、切り込み部５６ａを挟む一方側の部分は板状に形成され、給排水口１４に取付けるための嵌合穴５６ｂを有する。前記切り込み部５６ａを挟む他方側の部分は、前記嵌合穴５６ｂ側の部分よりも厚肉に形成されて、重心部５６ｃとされる。この重心部５６ｃの先端側の内面には、本体１２の下側部材３１と、その凹凸３３の凹み３３ａに嵌合する嵌合形状部５６ｄが形成されている。これら嵌合穴５６ｂと重心部５６ｃの中間部分は弾性変形を可能にする変形ヒンジ部５６ｅである。
【００５７】
重錘部材５６の切り込み部５６ａを開いて変形ヒンジ部５６ｅを変形して、嵌合穴５６ｂを給排水口１４に取り付けるとともに、嵌合形状部５６ｄを対応位置に嵌合させると、図１０（ｂ）に示したように重錘部材５６は素材の有する弾性復帰力により、本体１２に噛み付いた状態となる。
【００５８】
このような重錘部材５６を用いる湯たんぽ１１では、重錘部材５６を取付けて、本体１２の一部を流し台の縁などに当てて排水姿勢にすると、図１１（ａ）に示したように、前記重錘部材５６の重さによって、給排水口１４の高さが低い排水姿勢を安定し易くなる。
【００５９】
前記重錘部材５６は、重心部５６ｃを厚肉に形成しているので、図１１（ｂ）に示したように本体１２に取付けた状態で接地すると、本体１２の給排水口１４側を上に上げた傾斜状態に保持できる。このため、湯を注入するときにやかん等の口から放物線を描くように流れる湯を注入し易くなる。
【００６０】
そして、湯たんぽを机の下に置いて足を暖めるために使用するような場合には、重錘部材５６を取付けた状態のまま使用すると、暖を取り易い傾斜姿勢が容易に得られる。
【００６１】
湯たんぽ１１が金属製の場合には、湯たんぽに手で直接触れられないので、重錘部材５６を取付けておくことによって、ゴムの断熱性により取り扱いの便利さも得られる。これらの場合、重錘部材５６の嵌合穴５６ｂ部分は、前述のように、キャップ４１のパッキン４４の役割を果たすことになる。
【００６２】
図１２に示した湯たんぽ１１は、前記提げ手からなる排水補助手段５１を有する例である。すなわち、排水補助手段５１として、合成樹脂またはゴム等からなるシート状の提げ手５７を備えている。
【００６３】
提げ手５７は、適宜形状の帯状をなし、図１２（ａ）に示したように、給排水口１４に嵌合する嵌合穴５７ａを一端部に有し、他端部には、手を引掛ける取っ手５７ｂ部を有する。これら嵌合穴５７ａと取っ手５７ｂとの間の部分は、本体を安定して支えられるように中間部ほど幅広に形成されている。
【００６４】
このような提げ手５７を備える湯たんぽでは、排水に際しては提げ手５７を取付けて本体１２を排水姿勢にする。提げ手５７の長手方向の中間部を流し台等の縁に当てて位置を規制するとともに、一方の手で取っ手５７ｂを持って本体１２の後方を引き上げ、他方の手で本体１２の給排水口１４側の部分を押さえれば、その排水姿勢を安定させることができる。
【００６５】
このような湯たんぽ１１の場合には特に、提げ手５７で湯たんぽ１１を引き上げるようにするため、接地させるための接地面積を確保できない箇所、例えば洗面器や洗濯機で排水するような場合に、有効である。
【００６６】
前記提げ手５７を備えた湯たんぽ１１では、スタッキングするときに提げ手５７を取付けておくことで、重ね合わされる湯たんぽ１１同士の間のすべり止めが可能になり、安定した状態で保管ができる。また、提げ手５７の取っ手５７ｂを引掛けて吊り下げて保管等をすることもできる。
【００６７】
以上、排水補助手段５１の例について説明した。このような排水補助手段５１により、排水姿勢を保つことが補助される。この結果、傾斜した本体１２内の湯に重力が効果的に作用して湯の自然な流下が促進され、排水時の荷重や振動による負担も軽減され、排水作業が容易になる。特に、湯たんぽ１１の給排水口１４を長手方向の両側に２個形成したり、給排水口１４の大きさを大きめに形成したりして、あえて空気の導入を確保して排水が円滑になされるようにせずに、従来行われているように給排水口１４を本体１２の長手方向の一箇所に大きくなく形成しても、円滑で水切れのよい排水ができ、腐食の抑制を図ることができる。
【００６８】
しかも、排水配補助手段５１は湯たんぽ１１を自立させるものではないので、広い流し台のような場所でなくても排水を容易にすることができる。つまり、洗面器や洗濯機等に対しても容易な排水が可能であるため、湯の有効利用を促進できる。
【００６９】
そのうえ、排水姿勢で給排水口１４は下を向き、高さは低いので、残留する湯量を少なくできるため、完全な排水をすることが容易である。従来のように下部の側面に給排水口を有する場合には、残量が多いため、傾けたり振ったりして排水をする作業が不可欠であったが、そのような作業によって周囲を濡らしたりするような不都合も回避できる。
【００７０】
このような容易な排水をより促進するため、湯たんぽ１１の本体１２を構成する上側部材２１を図１３〜図１５に示したように構成することができる。すなわち、上側部材２１の内面に、前記排水姿勢にしたときに湯を前記給排水口１４に導く導水路１６が形成されている。
【００７１】
図１３の湯たんぽ１１は、図１３（ａ）の平面図に示したように、本体１２の長手方向に沿って直線状ではなく、一端部が給排水口１４に向けて収束するように湾曲させて凹凸２３が形成されている。図１３（ｂ）の側面図におけるＡ−Ａ断面図である図１３（ｃ）に示したように、上側部材２１の内面における前記凹凸２３の膨らみ２３ｂに対応する凹部分が、前記導水路１６となる。すなわち、導水路１６は湯たんぽ１１の表面に形成される凹凸２３で構成されている。
【００７２】
図１３の例では、上側部材２１の表面が平らな例を示したが、図１４（ａ）に示したように、上側部材２１の表面は上に凸に湾曲した形態であっても同様である。図１４（ｂ）に示したように、上側部材２１の内面における前記凹凸２３の膨らみ２３ｂに対応する凹部分が、前記導水路１６となる。
【００７３】
このように導水路１６を有することにより、排水姿勢にされたときに湯が導水路１６を通って、給排水口１４に向けて自然に流れ、速やかな排水が期待できる。
【００７４】
図１５に示した湯たんぽ１１は、図１５（ａ）の平面図に示したように、本体の長手方向と直交する方向に凹凸２３が形成された湯たんぽ１１において、これらの凹凸２３を横断するように本体１２の長手方向に延びる凸条２３ｃを備えた例である。
【００７５】
湯たんぽ１１の縦断面図である図１５（ｂ）のＡ−Ａ断面図である図１５（ｃ）に示したように、前記凸条２３ｃの下面が前記導水路１６となる。
【００７６】
また、図１５の例においては、口金部材２５が上側部材２１の表面から突出しないように構成されている。このため、給排水口１４に、湯たんぽ１１内に向けて突出する内筒部２５ｃが形成されることになる。内筒部２５ｃの内周面にはキャップ４１が螺合する雌ねじが形成されている。
【００７７】
このような内筒部２５ｃがあると、導水路１６の有無にかかわらず速やかな排水が出来ないので、内筒部２５ｃに、内筒部２５ｃの外側から内側への通水を許容する切欠部２５ｄが形成されている。切欠部２５ｄは、例えば導水路１６の長さ方向に合わせて、本体１２の長手方向の両側にスリット状に形成することができる。
【００７８】
このように、導水路１６を形成し、必要に応じて口金部材２５に切欠部２５ｄを形成することによって、前記排水補助手段５１を備えたことと相俟って、円滑で、より完全に近い排水が容易に行えることになり、前述の効果をさらに高めることができる。
【００７９】
図１５では、上側部材２１の上面が平らな例を示したが、図１６（ａ）に示した湯たんぽ１１のように上面が上に凸に湾曲した形状のものであってもよい。この場合でも、図１５に示した湯たんぽ１１と同様に導水路１６を形成できる。
【００８０】
このように上面が上に凸に湾曲した形状である場合には、図１６（ａ）に示したように、最も隆起している上面の中央に給排水口１４を設けると、本体１２を傾斜しなくとも前記排水姿勢にすることができる。この場合には、図２に示した湯たんぽ１１に備えた凸部５２（排水補助手段５１）と同様の凸部５２（排水補助手段５１）を有するものであるとよい。
【００８１】
凸部５２（排水補助手段５１）は、例えば給排水口１４を囲む４箇所、または３箇所に設けられる。また、凸部５２（排水補助手段５１）の高さは、給排水口１４に取付けるキャップ４１の上面と面一になるように設定する。
【００８２】
このように構成された湯たんぽ１１では、排水時には、図１６（ｂ）に示したように、単に反転しただけの排水姿勢にして接地させる。すると、接地面から浮いた給排水口１４から湯は自動的に排出される。前記のように凸部５２（排水補助手段５１）を４箇所または３箇所に設けているので、設置時の安定性がよい。また、凸部５２（排水補助手段５１）の高さをキャップ４１の上面と面一であるので、積み重ねが安定した状態で行える。さらに、湯たんぽ１１を足の下に置いて使用する場合には、凸部５２（排水補助手段５１）を指圧に用いることができるという利点も有する。
【００８３】
以上はこの発明を実施するための一形態であって、この発明は前記の構成のみに限定されるものではない。
【００８４】
例えば、支持部からなる排水補助手段と、重錘からなる排水補助手段と、提げ手かなる排水補助手段を単独で備えるのではなく、これらのうち適宜のものを組み合わせて排水補助手段を構成してもよい。
【符号の説明】
【００８５】
１１…湯たんぽ
１４…給排水口
１６…導水路
２３…凹凸
２５ｃ…内筒部
２５ｄ…切欠部
５１…排水補助手段
５２…凸部
５３…凹部
５４…凸部材
５５…重錘部
５６…重錘部材
５７…提げ手
【図１】
0005894410.tif 000002
【図２】
0005894410.tif 000003
【図３】
0005894410.tif 000004
【図４】
0005894410.tif 000005
【図５】
0005894410.tif 000006
【図６】
0005894410.tif 000007
【図７】
0005894410.tif 000008
【図８】
0005894410.tif 000009
【図９】
0005894410.tif 000010
【図１０】
0005894410.tif 000011
【図１１】
0005894410.tif 000012
【図１２】
0005894410.tif 000013
【図１３】
0005894410.tif 000014
【図１４】
0005894410.tif 000015
【図１５】
0005894410.tif 000016
【図１６】
0005894410.tif 000017